(57)【要約】【課題】対数アンプを用いたＡＳＫ受信回路でありながら、比較回路から出力されるパルス信号のデューティ比を改善でき、さらに、基準電圧信号の収束を高速化する。【解決手段】上下非対称の歪んだ波形の検波信号Ｓ６を用いて基準電圧信号を生成すると、比較回路からのパルス信号のデューティ比が５０％から大きくずれてしまうが、本ＡＳＫ受信回路１０は、クリップ回路１３から出力されるクリップ信号Ｓ７を用いて基準電圧信号Ｓ８を生成し、比較回路１５でその基準電圧信号Ｓ８とクリップ信号Ｓ７との比較を行ってパルス信号Ｓ９を出力する。クリップ回路１３では、この比較回路１５から出力されるパルス信号Ｓ９のデューティ比が所定値（例えば５０％）になるようなクリップレベルにて、検波信号Ｓ６をクリップするように設定されている。したがって、比較回路１５から出力されるパルス信号Ｓ９のデューティ比は所定値（例えば５０％）になる。【選択図】  図１
2006311285.tif 000002
【特許請求の範囲】
【請求項１】
ＡＳＫ変調された被変調信号を受信するために用いるＡＳＫ受信回路であって、
前記被変調信号を対数的な重み付けをして増幅する対数アンプと、
その対数アンプから出力される増幅信号を包絡線検波する検波回路と、
その検波回路から出力される検波信号に対して、所定のクリップレベル以下の部分をクリップするクリップ回路と、
そのクリップ回路から出力されたクリップ信号に基づいて基準電圧信号を生成する基準電圧信号生成手段と、
前記クリップ回路から出力されたクリップ信号または前記検波回路から出力された検波信号と、前記基準電圧信号生成手段によって生成された基準電圧信号とを比較し、比較結果をパルス信号として出力する比較回路と
を備え、
前記クリップ回路がクリップ動作するための前記クリップレベルは、前記比較回路から出力されるパルス信号のデューティ比が所定値になるよう予め調整されたレベルであることを特徴とするＡＳＫ受信回路。
【請求項２】
請求項１に記載のＡＳＫ受信回路において、
前記基準電圧信号は、前記クリップ信号を積分することで生成されたものであることを特徴とするＡＳＫ受信回路。
【請求項３】
請求項１または２に記載のＡＳＫ受信回路において、
前記クリップ回路がクリップ動作するための前記クリップレベルは、前記比較回路から出力されるパルス信号のデューティ比が５０％になるよう予め調整されたレベルであることを特徴とするＡＳＫ受信回路。
【発明の詳細な説明】
【技術分野】
【０００１】
本発明は、ＡＳＫ（Amplitude Shift Keying）方式で変調された信号を受信するために用いる受信回路に関する。
【背景技術】
【０００２】
例えばＥＴＣシステム（Electronic Toll Collection system：自動料金収受システム）において使用される車載器は、路上機においてＡＳＫ変調されて送信された被変調信号を受信するためのＡＳＫ受信回路を備えている（例えば、特許文献１参照。）。
【０００３】
図４（ａ）は、このようなＡＳＫ受信回路を搭載した受信機の一般的な構成及び路上機の送信部分に係る構成を示すブロックである。
図４（ａ）に示すように、路上機はローバスフィルタ（ＬＰＦ）５１と、ミキサ５２と、局部発振器５３と、パワーアンプ５４、送信アンテナ５５とを備えており、送信データは、ＬＰＦ５１によってフィルタリングされ、振幅変調器５２と局部発振器５３によってＡＳＫ変調された後、パワーアンプ５４によって増幅され、送信アンテナ５５から送信される。
【０００４】
この路上機から送信された被変調信号を受信する受信機は、送信電波を捕捉する受信アンテナ５と、受信アンテナ５から供給される受信信号を低雑音増幅するＬＮＡ（Low Noise Amplifier）６と、ＬＮＡ６の出力を局部発振器８が生成するローカル信号と混合して例えば４０ＭＨｚの中間周波（ＩＦ）信号に変換するミキサ７と、ＡＳＫ受信回路１００とを備えている。
【０００５】
このＡＳＫ受信回路１００は、ミキサ７から出力されたＩＦ信号のダイナミックレンジを拡大するための対数アンプ１１と、対数アンプ１１からの出力される増幅信号を両波整流して包絡線検波する検波回路１２と、検波回路１２から出力された検波信号を積分して基準電圧信号（長区間平均電圧）を生成する積分回路１４と、検波回路１２から出力された検波信号と、積分回路１４から出力された基準電圧信号とを比較し、比較結果をパルス信号（２値化信号）として出力する比較回路１５とを備えている。
【０００６】
図５は、図４（ａ）に示すＡＳＫ受信回路１００を用いた場合の、ＡＳＫ被変調信号の送受信における所定部分での出力信号波形を示す説明図である。Ｓ１〜Ｓ３は路上機の構成中の出力信号波形であり、Ｓ１は送信データ、Ｓ２はＬＰＦ５１からの出力、Ｓ３はパワーアンプ５４からの出力にそれぞれ対応する信号波形を示している。一方、Ｓ４〜Ｓ６及びＳ１８，Ｓ１９は受信機の構成中の出力信号波形であり、Ｓ４はミキサ７から出力されるＩＦ信号、Ｓ５は対数アンプ１１から出力される増幅信号、Ｓ６は検波回路１２から出力される検波信号、Ｓ１８は積分回路１４から出力される基準電圧信号、Ｓ１９は比較回路１５から出力されるパルス信号にそれぞれ対応する信号波形を示している。
【０００７】
対数アンプ１１に入力されるＩＦ信号は、図５のＳ４に示すように振幅変化部分の包絡線がほぼ正弦波状の形をしている。対数アンプ１１は入力されたＩＦ信号のレベルに対して対数的な重み付けをするので、検波回路１２によって検波された信号（検波信号）は、図５のＳ６に示すように、Ｓ４に示すＩＦ信号の包絡線波形における正の半サイクルは圧縮されたような波形となり、負の半サイクルは伸張されたような波形となり、上下非対称の歪んだ波形となる。
【０００８】
ところで、図４（ｂ）は実際の対数アンプのリニアから対数への変換カーブであるが、図２及び図５に示すＩＦ信号の包絡線波形Ｓ４と検波信号Ｓ６の関係は、点線で示すカーブ（理想的な対数アンプに対応する特性）で考えた場合である。実際の対数アンプは実線に示すような複雑なものとなるが、ＥＴＣシステムの受信電力範囲（使用域）においては、点線で示すカーブのように近似できる。よって、説明の簡略化のために、対数アンプの特性は点線で示すカーブのようなものであるとして以下の説明を進める。
【０００９】
比較回路１５の一方の入力端には検波回路１２から出力された検波信号Ｓ６が入力し、他方の入力端には積分回路１４から出力された基準電圧信号Ｓ１８が入力する。検波信号Ｓ６が積分回路１４に入力されることによって、積分回路１４の出力に長区間平均電圧が出力され基準電圧信号Ｓ１８とされるために、二つの入力端に入力された信号の間にレベル差が生じ、比較回路１５からは図５のＳ１９に示すようなパルス信号が、受信データとして（図示しない）データ処理回路へ送られる。
【００１０】
しかし、上述のように検波信号Ｓ６が上下非対称に歪んでいるので、デューティ比が５０％からずれ、例えば６０〜７０％程度となる。図５からも明らかなように、送信データＳ１と受信データＳ１９のデューティ比が大きく異なり、受信データのビット変化のタイミングに基づいてビット判定を行うデータ処理回路においてビット誤りを生じやすくなる。
【００１１】
この原因は、対数アンプ１１において対数的な重み付けをすることによって出力信号の波形が上下非対称になるためである。リニアアンプとＡＧＣを組み合わせたＡＭ受信機と同様の構成をとる、ＡＳＫ受信回路であれば、このような問題は発生しないが、対数アンプ１１を用いれば、コストと消費電力の点でメリットがあるため、対数アンプ１１を用いながら、比較回路１５から出力されるパルス信号のデューティ比が２値化判定に悪影響を及ぼさないように改善することが希求される。
【００１２】
このような改善を実現するための工夫としては、例えば、特許文献２に示すＡＳＫ受信回路が存在する。この特許文献２に開示されているＡＳＫ受信回路は、比較回路からの出力信号のデューティ比に比例した電圧に基づいて基準電圧信号を生成する基準電圧制御回路を有している。具体的には、この基準電圧制御回路に比較回路からの出力信号のデューティ比に比例した電圧が帰還入力しており、その帰還入力するデューティ比に比例した電圧信号が所定の参照電圧より高い期間は基準電圧を一定の変化率で上昇させる。一方、帰還入力するデューティ比に比例した電圧信号が所定の参照電圧より低い期間は基準電圧を一定の変化率で下降させる。
【特許文献１】特開２００４−７２５１４号公報（図１）
【特許文献２】特開２００１−２１１２１４号公報（図１）
【発明の開示】
【発明が解決しようとする課題】
【００１３】
しかしながら、特許文献２に示すＡＳＫ受信回路の場合には、基準電圧信号を生成するのに比較回路からの出力のデューティ比に比例した電圧信号を帰還入力するというクローズドループ方式を採用しているため、収束までに相対的に長い時間を要してしまう。例えば特許文献２の図５及び段落「００２６」には、基準電圧が安定するまでに５０μｓ程度要する旨が開示されている。
【００１４】
一方、ＥＴＣシステムにおける路上機からの電波は間欠送信であり、約１５μｓ（プリアンブル時間）で収束させる必要がある。つまり、プリアンブル時間（約１５μｓ）経過後に実データが送信されるため、収束時間がプリアンブル時間よりも長くなると、実データを適切に受信・復号できなくなる。したがって基準電圧が安定するまでに５０μｓ程度要していると間に合わない。もちろん、収束時間を早める工夫はあるが、クローズドループ方式を採用しているため、原理的に収束時間が遅くなる点は否めない。
【００１５】
また、クローズドループ方式の場合は、やはり原理的に不安定になるおそれがあるため、不安定になるおそれが原理的に生じない他方式が採用できるのであれば、それに越したことはない。
【００１６】
本発明は、上記問題点を解決するためになされたものであり、対数アンプを用いたＡＳＫ受信回路でありながら、比較回路１５から出力されるパルス信号のデューティ比を改善でき、さらに、基準電圧信号の収束を高速化できるＡＳＫ受信回路を提供することを目的とする。
【課題を解決するための手段】
【００１７】
上記目的を達成するための発明である請求項１記載のＡＳＫ受信回路（１０：なお、この欄においては、発明に対する理解を容易にするため、必要に応じて「発明を実施するための最良の形態」欄において説明した構成要素を括弧内に示すが、この記載によって特許請求の範囲を限定することを意味するものではない。）は、ＡＳＫ変調された被変調信号を受信するために用いる受信回路であり、対数アンプ（１１）と、検波回路（１２）と、クリップ回路（１３）と、基準電圧信号生成手段（１４）と、比較回路（１５）とを備えている。
【００１８】
被変調信号（Ｓ４）は、対数アンプ（１１）によって対数的な重み付けをして増幅される。そして、その増幅信号（Ｓ５）は、検波回路（１２）によって包絡線検波される。クリップ回路（１３）は、検波回路（１２）から出力される検波信号（Ｓ６）に対して、所定のクリップレベル以下の部分をクリップする（ある一定のレベルで切り捨てる）。このクリップ回路（１３）から出力されるクリップ信号（Ｓ７）は、基準電圧信号生成手段（１４）と比較回路（１５）へ入力する。基準電圧信号生成手段（１４）は、クリップ信号に基づいて基準電圧信号（Ｓ８）を生成し、比較回路（１５）へ出力する。比較回路（１５）は、クリップ回路（１４）から出力されたクリップ信号（Ｓ７）または検波回路（１２）から出力された検波信号（Ｓ６）と、基準電圧信号生成手段（１４）によって生成された基準電圧信号（Ｓ８）とを比較し、比較結果をパルス信号（Ｓ９）として出力する。
【００１９】
そして、クリップ回路（Ｓ１３）がクリップ動作するためのクリップレベルは、比較回路（１５）から出力されるパルス信号（Ｓ９）のデューティ比が所定値になるよう予め調整されている。実験等によって最適なクリップレベルを求めておき、そのようなクリップレベルになるように予め調整しておけばよい。
【００２０】
したがって、本発明のＡＳＫ受信回路（１０）であれば、対数アンプ（１１）を用いることでコストと消費電力の点でのメリットを享受しながら、比較回路（１５）から出力されるパルス信号のデューティ比を改善できる。そして、基準電圧信号を生成する際、特許文献２に示すＡＳＫ受信回路のような、比較回路からの帰還入力を用いるクローズドループ方式を採用していないため、基準電圧信号の収束を相対的に早くすることができる。そのため、例えばＥＴＣシステムなどのように、被変調信号を送信する側からの電波が間欠送信であり、且つプリアンブル時間が短い等の理由で、基準電圧信号を早期に収束させる必要があるシステムにおいては、特に有益である。
【００２１】
また、クローズドループ方式の場合は原理的に不安定になるおそれがあるが、本発明であればそのようなクローズドループ方式を採用していないため不安定になるおそれが原理的に生じず、信頼性の面で有利である。
【００２２】
ところで、基準電圧信号生成手段（１４）は、クリップ信号に基づいて基準電圧信号（Ｓ８）を生成するのであるが、この基準電圧信号は、種々の生成方法が考えられる。その中でも、請求項２に示すように、クリップ信号を積分することで生成すれば、非常に簡単な回路構成で実現できる。積分以外の実現手法としては、例えばクリップ信号の上側ピーク電圧と下側ピーク電圧を加算し、それを２で除するという手法も考えられる。
【００２３】
また、クリップ回路（１３）がクリップ動作するためのクリップレベルは、比較回路（１５）から出力されるパルス信号のデューティ比が５０％になるよう予め調整されたレベルとしておけば最適である。但し、パルス信号に基づくビット誤りが生じない程度のデューティ比であれば問題ないため、必ずしも５０％にしなくては実現できないわけでなく、合目的的な（つまり、パルス信号に基づくビット誤りが生じないという目的に合致する程度の）デューティ比であればよい。
【００２４】
なお、本発明のＡＳＫ受信回路は、例えばＥＴＣ車載器に適用することが考えられる。その場合には、路上機からの電波が間欠送信であり且つプリアンブル時間が短いため、より実効性が高いと考えられる。但し、ＥＴＣシステムへの適用に限らず、他のシステムにおける受信機に適用できることは当然である。
【発明を実施するための最良の形態】
【００２５】
以下、本発明が適用された実施形態について図面を用いて説明する。なお、本発明の実施の形態は、下記の実施形態に何ら限定されることなく、本発明の技術的範囲に属する限り種々の形態を採りうる。
【００２６】
［ＡＳＫ受信回路１０の構成説明］
図１（ａ）は本実施形態のＡＳＫ受信回路１０を含む受信機の構成を示すブロック図である。
【００２７】
このＡＳＫ受信回路１０を搭載した受信機は、例えばＥＴＣ車載器に適用され、ＥＴＣシステムにおける路上機から送信された被変調信号を受信する。路上機の構成・作動については図４（ａ）を参照して既に説明したので、ここでは省略する。
【００２８】
本実施形態の受信機は、路上機からの送信電波を捕捉する受信アンテナ５と、受信アンテナ５から供給される受信信号を低雑音増幅するＬＮＡ（Low Noise Amplifier）６と、ＬＮＡ６の出力を局部発振器８が生成するローカル信号と混合して例えば４０ＭＨｚの中間周波（ＩＦ）信号に変換するミキサ７と、ＡＳＫ受信回路１０とを備えている。
【００２９】
このＡＳＫ受信回路１０は、ミキサ７から出力されたＩＦ信号のダイナミックレンジを拡大するための対数アンプ１１と、対数アンプ１１から出力される増幅信号を両波整流して包絡線検波する検波回路１２と、検波回路１２から出力された検波信号に対して、所定のクリップレベル以下の部分をクリップするクリップ回路１３と、クリップ回路１３から出力されるクリップ信号を積分して基準電圧信号を生成する積分回路１４と、クリップ回路１３から出力されるクリップ信号と、積分回路１４から出力された基準電圧信号とを比較し、比較結果をパルス信号（２値化信号）として出力する比較回路１５とを備えている。つまり、図４（ａ）に示す従来のＡＳＫ受信回路１００に対し、検波回路１２の後段にクリップ回路１３を挿入したものとなっており、本実施形態のＡＳＫ受信回路１０においては、積分回路１４及び比較回路１５への入力信号が、図４（ａ）に示す従来のＡＳＫ受信回路１００のような検波信号ではなく、クリップ回路１３から出力されるクリップ信号となっている。
【００３０】
図１（ｂ）は入力信号に対して所定のクリップレベル以下の部分をクリップする本実施形態のクリップ回路１３の回路図、同図（ｃ）はクリップ回路１３の特性を示す説明図、同図（ｄ）はクリップ回路１３への入力と出力の関係を示す模式図である。
【００３１】
図１（ｂ）に示すバイアス電圧を調整することで入力信号波形の任意のクリップレベル以下の部分をクリップすることができる。図１（ｄ）に示す出力信号波形を見れば分かるように、バイアス電圧が低くなるにつれて、入力信号波形の下部がクリップされる度合いが大きくなる。そして、このクリップレベルは以下のように設定される。つまり、実験等により、比較回路１５から出力されるパルス信号Ｓ９のデューティ比が所定値（例えば５０％）になるようなバイアス電圧を予め求めておく。そして、そのバイアス電圧に調整したクリップ回路１３をＡＳＫ受信回路１０に用いるのである。
【００３２】
［ＡＳＫ受信回路１０の作動説明］
図２は、実施形態のＡＳＫ受信回路１０を用いた場合の、ＡＳＫ被変調信号の送受信における所定部分での出力信号波形を示す説明図である。
【００３３】
Ｓ１〜Ｓ３は図４（ａ）に示す路上機の構成中の出力信号波形であり、Ｓ１は送信データ、Ｓ２はＬＰＦ５１からの出力、Ｓ３はパワーアンプ５４からの出力にそれぞれ対応する信号波形を示している。一方、Ｓ４〜Ｓ９は受信機の構成中の出力信号波形であり、Ｓ４はミキサ７から出力されるＩＦ信号、Ｓ５は対数アンプ１１から出力される増幅信号、Ｓ６は検波回路１２から出力される検波信号、Ｓ７がクリップ回路１３から出力されるクリップ信号、Ｓ８は積分回路１４から出力される基準電圧信号、Ｓ９は比較回路１５から出力されるパルス信号にそれぞれ対応する信号波形を示している。
【００３４】
対数アンプ１１に入力されるＩＦ信号は、図５のＳ４に示すように振幅変化部分の包絡線がほぼ正弦波状の形をしている。対数アンプ１１は入力されたＩＦ信号のレベルに対して対数的な重み付けをするので、検波回路１２によって検波された信号（検波信号）は、図５のＳ６に示すように、Ｓ４に示すＩＦ信号の包絡線波形における正の半サイクルは圧縮されたような波形となり、負の半サイクルは伸張されたような波形となり、上下非対称の歪んだ波形となる。
【００３５】
この検波回路１２から出力される検波信号Ｓ６に対して、クリップ回路１３は、所定のクリップレベル以下の部分をクリップする。そのため、検波信号Ｓ６のクリップレベル以下の部分が切り捨てられたような波形のクリップ信号Ｓ７がクリップ回路１３から比較回路１５へ出力される。
【００３６】
一方、積分回路１４は、クリップ回路１３から出力されるクリップ信号Ｓ７を積分して基準電圧信号Ｓ８を生成し、やはり比較回路１５へ出力する。
比較回路１５の一方の入力端にはクリップ回路１３から出力されたクリップ信号Ｓ７が入力し、他方の入力端には積分回路１４から出力された基準電圧信号Ｓ８が入力する。クリップ信号Ｓ８が積分回路１４に入力されることによって、積分回路１４の出力に長区間平均電圧が出力され基準電圧信号とされるために、二つの入力端に入力された信号の間にレベル差が生じ、比較回路１５からは図２のＳ９に示すようなパルス信号が、受信データとして（図示しない）データ処理回路へ送られる。
【００３７】
検波信号Ｓ６は上下非対称の歪んだ波形となっているので、図４（ａ）に示す従来のＡＳＫ受信回路１００のように、その検波信号Ｓ６を用いて基準電圧信号Ｓ１８を生成すると、比較回路１５から出力されるパルス信号Ｓ１９は、図５に示すように、デューティ比が５０％からずれ、例えば６０〜７０％程度となる。そのため、従来のＡＳＫ受信回路１００を用いると、図５に示す送信データＳ１とパルス信号（すなわち受信データ）Ｓ１９のデューティ比が大きく異なり、その受信データのビット変化のタイミングに基づいてビット判定を行うデータ処理回路においてビット誤りを生じやすくなる。
【００３８】
それに対して本実施形態のＡＳＫ受信回路１０においては、クリップ回路１３から出力されるクリップ信号Ｓ７を用いて基準電圧信号Ｓ８を生成し、比較回路１５でその基準電圧信号Ｓ８とクリップ信号Ｓ７との比較を行ってパルス信号Ｓ９を出力するようにしている。上述したように、クリップ回路１３では、この比較回路１５から出力されるパルス信号Ｓ９のデューティ比が所定値（例えば５０％）になるようなクリップレベルにて、検波信号Ｓ６をクリップするように設定されている。したがって、当然であるが、比較回路１５から出力されるパルス信号Ｓ９のデューティ比は所定値（例えば５０％）になる。
【００３９】
［効果説明］
（１）以上説明したように、本実施形態のＡＳＫ受信回路１０であれば、対数アンプ１１を用いることで（ＡＭ受信機のようなリニアアンプとＡＧＣを組み合わせて使う場合に比べて）コストと消費電力の点でのメリットを享受しながら、比較回路１５から出力されるパルス信号のデューティ比を改善できる。そして、基準電圧信号Ｓ８を生成する際、背景技術の欄で示した特許文献２に開示されたＡＳＫ受信回路のような、比較回路からの帰還入力を用いるクローズドループ方式を採用していないため、基準電圧信号の収束を相対的に早くすることができる。そのため、例えばＥＴＣシステムなどのように、被変調信号を送信する側からの電波が間欠送信であり、且つプリアンブル時間が短い等の理由で、基準電圧信号を早期に収束させる必要があるシステムにおいては、特に有益である。
【００４０】
（２）また、クローズドループ方式の場合は原理的に不安定になるおそれがあるが、本実施形態のＡＳＫ受信回路１０であれば、そのようなクローズドループ方式を採用していないため不安定になるおそれが原理的に生じず、信頼性の面で有利である。
【００４１】
（３）また、従来の手法は、対数アンプを用いることで検波信号が上下非対称の歪んだ波形となっていることに着目してはいるが、その波形自体を適切なものに加工してから比較回路でのパルス信号の生成に利用するという思想はない。それに対して本実施形態のＡＳＫ受信回路１０においては、図２に示す検波信号Ｓ６自体をそのまま利用するのではなく、クリップ回路１３において「比較回路１５から出力されるパルス信号Ｓ９のデューティ比が所定値（例えば５０％）になるような」クリップレベルにて検波信号Ｓ６をクリップし、そのクリップ信号Ｓ７を利用するようにした。このような従来手法にない独自の発想に基づいているため、次のような点でもメリットがある。
【００４２】
それは、変調指数の悪い送信波であっても、ビット誤りを生じにくいというメリットである。ここで「変調指数が悪い」とは、例えば送信波の周波数成分５００ｋＨｚ成分と１ＭＨｚ成分の振幅差が極端に大きいような場合である。
【００４３】
図３（ａ）は正常な送信波（変調指数が良好な送信波）の場合であり、５００ｋＨｚ成分と１ＭＨｚ成分の振幅差がない。この場合は、対数アンプ１１及び検波回路１２によって受信波形（検波信号Ｓ６の波形）が上下非対称になっても、例えば従来手法のように検波信号の積分によってデータ識別線（基準電圧信号）を生成しても、パルス出力のデューティ比が５０％からずれる度合いが相対的に少ない。
【００４４】
しかし、図３（ｂ）に示すような変調指数が悪い送信波の場合、５００ｋＨｚ成分と１ＭＨｚ成分の振幅成分の差が大きく、対数アンプ１１を経由し検波回路１２から出力される波形は、例えば５００ｋＨｚ成分に対して１ＭＨｚ成分が半分ほどになることも想定される。その場合、受信波形（検波信号Ｓ６の波形）の５００ｋＨｚ成分はデータ識別線の下方に大きく突出するのに対して、１ＭＨｚ成分はデータ識別線の下方にほとんど突出しないような状態となる。この場合は、パルス出力のデューティ比が送信データとは異なってしまい（５０％から大きくずれる）、ビット誤りを生じやすくなる。さらに振幅差が大きくなったり、ノイズが乗るなどして、１ＭＨｚ成分がデータ識別線の下方に突出しない状態になると、ビット判定がまったくできなくなり、ＡＳＫ受信機として機能しなくなる。このような状態になると、特許文献１のような方法も意味をなさない。
【００４５】
これに対して、本実施形態のＡＳＫ受信回路１０の場合には、図３（ｃ）に示すように、受信波形（検波信号Ｓ６の波形）のうち、例えば（従来手法の場合の）データ識別線の下方に大きく突出する部分をクリップ回路１３にてクリップすることとなる。したがって、クリップ信号Ｓ７を積分して生成した基準電圧信号Ｓ８による新データ識別線は、従来手法のデータ識別線に対して相対的に上昇する。そして、この新データ識別線によって、クリップされた後の波形（クリップ信号Ｓ７の波形）に基づくパルス出力を行えば、パルス出力のデューティ比を送信データに近づけることができるのである。また、振幅差が非常に大きくなったり、ノイズが乗るなどの劣悪な条件下においても、ビット判定がまったく出来なくなるようなことは無くなり、信頼性が向上する。
【００４６】
このようなメリットが得られるのは、上述したように、検波信号Ｓ６自体をそのまま利用するのではなく、クリップ回路１３において「比較回路１５から出力されるパルス信号Ｓ９のデューティ比が所定値（例えば５０％）になるような」クリップレベルにて検波信号Ｓ６をクリップし、そのクリップ信号Ｓ７を利用して基準電圧信号Ｓ８を生成して、比較回路１５での比較を実行しているからである。
【００４７】
［別実施形態等］
（１）上記実施形態では、積分回路１４を基準電圧信号生成手段として採用したが、基準電圧信号は、積分以外の生成方法が考えられる。例えばクリップ信号の上側ピーク電圧と下側ピーク電圧を加算し、それを２で除するという手法も考えられる。但し、積分回路１４の場合には、抵抗及びコンデンサをそれぞれ１つ備えればよく、非常に簡易な回路構成で実現できる。
【００４８】
（２）クリップ回路１３がクリップ動作するためのクリップレベルは、比較回路１５から出力されるパルス信号のデューティ比が５０％になるよう予め調整されたレベルとしておけば最適であるが、パルス信号に基づくビット誤りが生じない程度のデューティ比であれば問題ないため、必ずしも５０％にしなくては実現できないわけでない。つまり、パルス信号に基づくビット誤りが生じないという目的に合致する程度のデューティ比であれば５０％でなくてもよい。
【００４９】
（３）上記実施形態のＡＳＫ受信回路１０は、ＥＴＣ車載器に適用したものであった。この場合は、路上機からの電波が間欠送信であり且つプリアンブル時間が短いため、より実効性が高いと考えられるが、本発明のＡＳＫ受信回路は、このようなＥＴＣシステムへの適用に限らず、他のシステムにおける受信機に適用できる。
【００５０】
（４）上記実施形態では、入力信号に対して所定のクリップレベル以下の部分をクリップする回路として、図１（ｂ）にクリップ回路１３を採用したが、この図１（ｂ）に示す回路構成はあくまで一例である。
【００５１】
（５）図１（ａ）に示すＡＳＫ受信回路１０の構成では、クリップ回路１３から出力されるクリップ信号Ｓ７と、積分回路１４から出力された基準電圧信号Ｓ８とが比較回路１５に入力し、比較回路１５からは、それらクリップ信号Ｓ７と基準電圧信号Ｓ８とを比較した結果をパルス信号として出力するようにした。
【００５２】
しかし、比較回路１５において、検波信号Ｓ６と基準電圧信号Ｓ８とを比較するようにしてもよい。つまり、検波回路１２とクリップ回路１３との間の出力線から分岐して出力する検波信号Ｓ６が比較回路１５の一方の入力となるようにすると共に、クリップ回路１３から出力されるクリップ信号Ｓ７は積分回路１４のみに入力するように構成する。そして、その積分回路１４から出力される基準電圧信号Ｓ８が比較回路１５の他方の入力となるようにする。このような構成でも、比較回路１４から出力されるパルス信号Ｓ９は同じものとなり、図１（ａ）に示すＡＳＫ受信回路１０の構成の場合と同じ効果が得られる。
【００５３】
また、図１（ａ）に示す比較回路１５では、クリップ回路１３からのクリップ信号Ｓ７がプラス（＋）入力、積分回路１４からの基準電圧信号Ｓ８がマイナス（−）入力として示したが、これらプラス（＋）入力とマイナス（−）入力とが入れ替わっても、ビットの極性が反転するだけで、当然、同じ効果が得られる。
【図面の簡単な説明】
【００５４】
【図１】（ａ）は実施形態のＡＳＫ受信回路１０を含む受信機の構成を示すブロック図、（ｂ）はクリップ回路１３の回路図、（ｃ）はクリップ回路１３の入出力特性を示す説明図、（ｄ）はクリップ回路１３への入力と出力の関係を示す模式図である。
【図２】実施形態のＡＳＫ受信回路１０を用いた場合の、ＡＳＫ被変調信号の送受信における所定部分での出力信号波形を示す説明図である。
【図３】変調指数が悪い送信波の場合においても実施形態のＡＳＫ受信回路１０が有利であることの説明図である。
【図４】従来のＡＳＫ受信回路１００を搭載した受信機の一般的な構成及び路上機の送信部分に係る構成を示すブロックである。
【図５】従来のＡＳＫ受信回路１００を用いた場合の、ＡＳＫ被変調信号の送受信における所定部分での出力信号波形を示す説明図である。
【符号の説明】
【００５５】
５…受信アンテナ、６…ＬＮＡ、７…ミキサ、８…局部発振器、１０，１００…ＡＳＫ受信回路、１１…対数アンプ、１２…検波回路、１３…クリップ回路、１４…積分回路、１５…比較回路、５２…ミキサ、５３…局部発振器、５４…パワーアンプ、５５…送信アンテナ。
【図１】
2006311285.tif 000003
【図２】
2006311285.tif 000004
【図３】
2006311285.tif 000005
【図４】
2006311285.tif 000006
【図５】
2006311285.tif 000007